(57)【要約】【課題】周縁部の厚みが外側に向かって薄くなるガラス板であって、ガラス板の端面における厚みが全周にわたって均一なガラス板を提供する。【解決手段】第１の接続部１２ｅは、第２の平面部１２ａと第４の平面部１２ｃとを接続している。第２の接続部１２ｆは、第２の平面部１２ａと第５の平面部１２ｄとを接続している。第３の接続部１２ｇは、第３の平面部１２ｂと第４の平面部１２ｃとを接続している。第４の接続部１２ｈは、第３の平面部１２ｂと第５の平面部１２ｄとを接続している。第１〜第４の接続部１２ｅ〜１２ｈは、それぞれ、円錐面状に設けられている。【選択図】図１
2014037927.tif 000002
【特許請求の範囲】
【請求項１】
第１の主面と第２の主面とを備え、各角部が円弧状である矩形状のガラス板であって、
前記第１の主面は、
前記第２の主面と平行であり、各角部が円弧状である矩形状の第１の平面部と、
前記第１の平面部を包囲するように設けられており、前記第１の平面部の外側端から外側に向かって前記第２の主面側に傾斜した傾斜面と、
を有し、
前記傾斜面は、
前記第１の平面部の第１の辺の外側に位置しており、前記第１の辺から第２の主面側に向かって傾斜した第２の平面部と、
前記第１の平面部の前記第１の辺と平行な第２の辺の外側に位置しており、前記第２の辺から前記第２の主面側に向かって傾斜した第３の平面部と、
前記第１の平面部の第３の辺の外側に位置しており、前記第３の辺から前記第２の主面側に向かって傾斜した第４の平面部と、
前記第１の平面部の前記第３の辺と平行な第４の辺の外側に位置しており、前記第４の辺から前記第２の主面側に向かって傾斜した第５の平面部と、
前記第２の平面部と前記第４の平面部とを接続している第１の接続部と、
前記第２の平面部と前記第５の平面部とを接続している第２の接続部と、
前記第３の平面部と前記第４の平面部とを接続している第３の接続部と、
前記第３の平面部と前記第５の平面部とを接続している第４の接続部と、
を含み、
前記第１〜第４の接続部は、それぞれ、円錐面状に設けられている、ガラス板。
【請求項２】
前記第１〜第４の接続部のそれぞれの平面視における半径方向の長さは、前記第２〜第５の平面部の幅と実質的に等しい、請求項１に記載のガラス板。
【請求項３】
前記ガラス板の端面と前記傾斜面とにより構成された角部が面取りまたはＲ面取りされている、請求項１または２に記載のガラス板。
【請求項４】
調理器用トッププレートを構成している、請求項１〜３のいずれか一項に記載のガラス板。
【発明の詳細な説明】
【技術分野】
【０００１】
本発明は、調理器用トッププレートなどとして好適に使用できるガラス板に関する。
【背景技術】
【０００２】
従来、例えば特許文献１などにおいて、調理器用トッププレートをガラス板により構成することが提案されている。具体的には、特許文献１には、周縁部が外側に向かって薄くなるように、一主面の周縁部に外側に向かって他主面側に傾斜する傾斜面が設けられたガラスプレートが記載されている。
【先行技術文献】
【特許文献】
【０００３】
【特許文献１】特表２００６−５０８３１８号公報
【発明の概要】
【発明が解決しようとする課題】
【０００４】
通常、傾斜面は、研磨等により形成されるため、傾斜面と端面とにより構成された角部が鋭利となる場合がある。よって、傾斜面と端面とにより構成された角部に面取り処理を施すことが好ましい。
【０００５】
しかしながら、主面の４辺のそれぞれに傾斜面を設けた場合、角部においてガラス板の端面の厚みが変化する。このため、面取り処理が困難になるという問題がある。具体的には、面取り面の幅にばらつきが生じたり、砥石が部分的に強く押し当てられることによりガラス板が破損したりするなどという問題がある。従って、ガラス板の端面における厚みを全周にわたって均一にしたいという要望がある。
【０００６】
本発明の主な目的は、周縁部の厚みが外側に向かって薄くなるガラス板であって、ガラス板の端面における厚みが全周にわたって均一なガラス板を提供することにある。
【課題を解決するための手段】
【０００７】
本発明に係るガラス板は、第１の主面と第２の主面とを備え、各角部が円弧状である矩形状のガラス板である。第１の主面は、各角部が円弧状である矩形状の第１の平面部と、傾斜面とを有する。第１の平面部は、第２の主面と平行である。傾斜面は、第１の平面部を包囲するように設けられている。傾斜面は、第１の平面部の外側端から外側に向かって第２の主面側に傾斜している。傾斜面は、第２の平面部と、第３の平面部と、第４の平面部と、第５の平面部と、第１の接続部と、第２の接続部と、第３の接続部と、第４の接続部とを含む。第２の平面部は、第１の平面部の第１の辺の外側に位置している。第２の平面部は、第１の辺から第２の主面側に向かって傾斜している。第３の平面部は、第１の平面部の第１の辺と平行な第２の辺の外側に位置している。第３の平面部は、第２の辺から第２の主面側に向かって傾斜している。第４の平面部は、第１の平面部の第３の辺の外側に位置している。第４の平面部は、第３の辺から第２の主面側に向かって傾斜している。第５の平面部は、第１の平面部の第３の辺と平行な第４の辺の外側に位置している。第５の平面部は、第４の辺から第２の主面側に向かって傾斜している。第１の接続部は、第２の平面部と第４の平面部とを接続している。第２の接続部は、第２の平面部と第５の平面部とを接続している。第３の接続部は、第３の平面部と第４の平面部とを接続している。第４の接続部は、第３の平面部と第５の平面部とを接続している。第１〜第４の接続部は、それぞれ、円錐面状に設けられている。
【０００８】
第１〜第４の接続部のそれぞれの平面視における半径方向の長さは、第２〜第５の平面部の幅と実質的に等しいことが好ましい。
【０００９】
ガラス板の端面と傾斜面とにより構成された角部が面取りまたはＲ面取りされていることが好ましい。
【００１０】
本発明に係るガラス板は、調理器用トッププレートを構成していてもよい。
【発明の効果】
【００１１】
本発明によれば、周縁部の厚みが外側に向かって薄くなるガラス板であって、ガラス板の端面における厚みが全周にわたって均一なガラス板を提供することができる。
【図面の簡単な説明】
【００１２】
【図１】本発明の一実施形態に係るガラス板の略図的平面図である。
【図２】図１の線ＩＩ−ＩＩ部分の略図的断面図である。
【図３】図１の線ＩＩＩ−ＩＩＩ部分の略図的断面図である。
【図４】図１の矢印ＩＶの方向から視た略図的側面図である。
【図５】比較例に係るガラス板の略図的平面図である。
【図６】図５の矢印ＶＩの方向から視た略図的側面図である。
【発明を実施するための形態】
【００１３】
以下、本発明を実施した好ましい形態の一例について説明する。但し、下記の実施形態は、単なる例示である。本発明は、下記の実施形態に何ら限定されない。
【００１４】
また、実施形態等において参照する各図面において、実質的に同一の機能を有する部材は同一の符号で参照することとする。また、実施形態等において参照する図面は、模式的に記載されたものである。図面に描画された物体の寸法の比率などは、現実の物体の寸法の比率などとは異なる場合がある。図面相互間においても、物体の寸法比率等が異なる場合がある。具体的な物体の寸法比率等は、以下の説明を参酌して判断されるべきである。
【００１５】
図１〜図４に示されるガラス板１は、例えば調理器用トッププレートなどとして利用される各角部が円弧状である矩形状のガラス板である。ガラス板１は、例えば、結晶化ガラスからなるものであってもよい。
【００１６】
ガラス板１の厚みは、例えば３ｍｍ〜６ｍｍ程度とすることができる。
【００１７】
図２〜図４に示されるように、ガラス板１は、第１の主面１０と、平面状の第２の主面２０とを備える。
【００１８】
第１の主面１０は、第１の平面部１１と、傾斜面１２とを有する。第１の平面部１１は、第２の主面２０と平行である。第１の平面部１１は、４つの角部のそれぞれが円弧状である矩形状である。第１の平面部１１は、第２の主面２０よりも小さい。
【００１９】
傾斜面１２は、第１の平面部１１の外側に設けられている。傾斜面１２は、第１の平面部１１の外側端から外側に向かって第２の主面２０側に傾斜している。従って、傾斜面１２が設けられている領域において、ガラス板１の厚みは、外側に向かって減少している。傾斜面１２と第１の平面部１１とのなす角の大きさは、例えば、１７７°〜１５０°であることが好ましく、１７６．５°〜１５８°であることがより好ましい。
【００２０】
図１に示されるように、傾斜面１２は、第２〜第５の平面部１２ａ〜１２ｄと、第１〜第４の接続部１２ｅ〜１２ｈとを含む。
【００２１】
第２の平面部１２ａは、第１の平面部１１の第１の辺１１ａの外側に位置している。第２の平面部１２ａは、第１の辺１１ａから第２の主面２０側に向かって傾斜している。
【００２２】
第３の平面部１２ｂは、第１の平面部１１の第１の辺１１ａと平行な第２の辺１１ｂの外側に位置している。第３の平面部１２ｂは、第２の辺１１ｂから第２の主面２０側に向かって傾斜している。
【００２３】
第４の平面部１２ｃは、第１の平面部１１の第１及び第２の辺１１ａ、１１ｂに対して垂直な第３の辺１１ｃの外側に位置している。第４の平面部１２ｃは、第３の辺１１ｃから第２の主面２０側に向かって傾斜している。
【００２４】
第５の平面部１２ｄは、第１の平面部１１の第３の辺１１ｃと平行な第４の辺１１ｄの外側に位置している。第５の平面部１２ｄは、第４の辺１１ｄから第２の主面２０側に向かって傾斜している。
【００２５】
第２及び第３の平面部１２ａ、１２ｂのそれぞれのｘ軸方向に沿った幅Ｗ１，Ｗ２は、第１の主面１０のｘ軸方向に沿った幅Ｗ０の０．００５倍〜０．０５倍であることが好ましく、０．０１倍〜０．０４倍であることがより好ましい。第４及び第５の平面部１２ｃ、１２ｄのそれぞれのｙ軸方向に沿った幅Ｗ３，Ｗ４は、第２及び第３の平面部１２ａ、１２ｂのｘ軸方向に沿った幅Ｗ１，Ｗ２と実質的に等しい。
【００２６】
第２の平面部１２ａと第４の平面部１２ｃとは、第１の接続部１２ｅにより接続されている。第２の平面部１２ａと第５の平面部１２ｄとは、第２の接続部１２ｆにより接続されている。第３の平面部１２ｂと第４の平面部１２ｃとは、第３の接続部１２ｇにより接続されている。第３の平面部１２ｂと第５の平面部１２ｄとは、第４の接続部１２ｈにより接続されている。
【００２７】
ガラス板１においては、第１〜第４の接続部１２ｅ〜１２ｈは、それぞれ、円錐面状に設けられている。すなわち、第１〜第４の接続部１２ｅ〜１２ｈは、それぞれ、円錐の側面に沿った形状に設けられている。
【００２８】
第１〜第４の接続部１２ｅ〜１２ｈの平面視における半径方向の長さＷ５〜Ｗ８は、第２〜第５の平面部１２ａ〜１２ｄの幅Ｗ１〜Ｗ４と実質的に等しいことが好ましい。
【００２９】
図２〜図４に示されるように、ガラス板１の第１の主面１０と第２の主面２０とは、端面３０によって接続されている。端面３０は、平面により構成されていてもよいが、本実施形態では、横断面が円弧状である曲面により構成されている。
【００３０】
端面３０と傾斜面１２とにより構成された角部は、面取りまたはＲ面取りされている。従って、端面３０と傾斜面１２とは、平面状または曲面状の面取り面４０により接続されている。
【００３１】
ガラス板１は、例えば、以下の要領で製造することができる。まず、横断面円弧状の端面を有するガラス板を用意する。次に、そのガラス板の第１の主面の周縁部を研磨することにより、傾斜面１２を形成する。その後、傾斜面１２と端面３０とにより構成された角部を面取りまたはＲ面取りすることにより面取り面４０を形成する。
【００３２】
ところで、ガラス板の周縁部に傾斜面を設ける場合は、図５に示されるように、隣り合う傾斜面１１１〜１１４が接するように設けられる。この場合、ガラス板１００の平面視における角部が円弧状であると、角部において、傾斜面１１１〜１１４の先端部と第２の主面２０との間の厚み方向に沿った距離Ｈが漸増する。従って、図６に示されるように、例えば、傾斜面１１１〜１１４と端面１３０とにより構成された角部を通常に面取りすると、ガラス板１００の角部における面取り面１４０の幅が他の部分よりも大きくなる。また、ガラス板１００の角部には、他の部分よりも砥石に強く押し当てられる。このため、ガラス板１００の角部が破損しやすい。従って、隣り合う傾斜面１１１〜１１４が接するように設けられているガラス板１００では、一定の幅の面取り面を形成することは困難である。
【００３３】
一方、ガラス板１では、第１〜第４の接続部１２ｅ〜１２ｈが円錐面状に設けられている。このため、傾斜面１２と端面３０との厚み方向における距離Ｈが一定である。従って、ガラス板１では、傾斜面１２と端面３０とにより構成された角部を一定の幅で容易に面取りすることができる。また、面取り加工中に特定の部分が砥石に強く押し当てられることがないため、ガラス板１が損傷しにくい。
【００３４】
また、ガラス板１００のように、隣り合う傾斜面１１１〜１１４が接している場合は、平面視における角部の曲率半径を大きくすると、角部における傾斜面１１１〜１１４の幅が、他の部分の幅よりも小さくなる。従って、ガラス板１００の美観が損なわれやすい。
【００３５】
一方、第１〜第４の接続部１２ｅ〜１２ｈが円錐面状に設けられているガラス板１では、傾斜面１２の幅が全周にわたって略一定である。傾斜面１２の角部に位置する部分と、その他の部分とで幅がほぼ等しい。従って、ガラス板１の平面視における角部の曲率半径を大きくした場合であってもガラス板１の美観が損なわれにくい。
【符号の説明】
【００３６】
１…ガラス板
１０…第１の主面
１１…第１の平面部
１１ａ…第１の辺
１１ｂ…第２の辺
１１ｃ…第３の辺
１１ｄ…第４の辺
１２…傾斜面
１２ａ…第２の平面部
１２ｂ…第３の平面部
１２ｃ…第４の平面部
１２ｄ…第５の平面部
１２ｅ…第１の接続部
１２ｆ…第２の接続部
１２ｇ…第３の接続部
１２ｈ…第４の接続部
２０…第２の主面
３０…端面
４０…面取り面
【図１】
2014037927.tif 000003
【図２】
2014037927.tif 000004
【図３】
2014037927.tif 000005
【図４】
2014037927.tif 000006
【図５】
2014037927.tif 000007
【図６】
2014037927.tif 000008